(57)【要約】【課題】  腕時計のように煩わしさを感じることなく腕に装着できると共に、ヘッドセットとしても使用すること。【解決手段】  第１の筐体２と第２の筐体３とからなる本体４と、第１の筐体２と第２の筐体３とを互いに着脱可能に固定する固定手段と、第１の筐体２及び第２の筐体３に、それぞれ基端側が取り付けられて腕に装着可能な第１のバンド６及び第２のバンド７と、本体４に対して第１のバンド６及び第２のバンド７の取付状態を変更可能なバンド変形手段と、第１の筐体２及び第２の筐体３に設けられ、音声を出力する第１のスピーカ及び第２のスピーカを有する音声出力手段とを備え、バンド変形手段が耳の耳介に引っ掛けて保持可能な状態に第１のバンド６及び第２のバンド７を変形可能とされ、第１のスピーカ及び第２のスピーカが、第１のバンド６及び第２のバンド７を耳介に引っ掛けた状態で耳の外耳道に対向する位置に配される携帯用電子機器１を提供する。【選択図】  図６
2005191767.tif 000002
【特許請求の範囲】
【請求項１】
第１の筐体と第２の筐体とからなる本体と、
前記第１の筐体と前記第２の筐体とを互いに着脱可能に固定する固定手段と、
前記第１の筐体及び前記第２の筐体に、それぞれ基端側が取り付けられて腕に装着可能な第１のバンド及び第２のバンドと、
前記本体に対して前記第１のバンド及び前記第２のバンドの取付状態又はバンド自体の形状の変形が可能なバンド変形手段と、
前記第１の筐体及び前記第２の筐体に設けられ、それぞれ音声を出力する第１のスピーカ及び第２のスピーカを有する音声出力手段とを備え、
前記バンド変形手段が、耳の耳介に引っ掛けて保持可能な状態に前記第１のバンド及び前記第２のバンドを変形可能とされ、
前記第１のスピーカ及び前記第２のスピーカが、前記第１のバンド及び前記第２のバンドを耳介に引っ掛けた状態で耳の外耳道に対向する位置に配されていることを特徴とする携帯用電子機器。
【請求項２】
請求項１に記載の携帯用電子機器において、
前記本体が、略円板状とされ、
前記第１の筐体及び前記第２の筐体が、前記本体の表面の中心軸に対して略半分に分割されてなることを特徴とする携帯用電子機器。
【請求項３】
請求項１に記載の携帯用電子機器において、
前記本体が、所定の厚さを有する略円板状とされ、
前記第１の筐体及び前記第２の筐体が、前記本体の厚さ方向の略中心で上下に分割されてなることを特徴とする携帯用電子機器。
【請求項４】
請求項１から３のいずれか１項に記載の携帯用電子機器において、
前記固定手段により、前記第１の筐体と前記第２の筐体とを固定したときに、前記第１のバンドと前記第２のバンドとが結合して１つのバンド形状となることを特徴とする携帯用電子機器。
【請求項５】
請求項４に記載の携帯用電子機器において、
前記１のバンド及び前記第２のバンドが、前記第１の筐体と前記第２の筐体との分割線の延長線を中心として分割されることを特徴とする携帯用電子機器。
【請求項６】
請求項１から５のいずれか１項に記載の携帯用電子機器において、
前記固定手段が、前記第１の筐体と前記第２の筐体との対向面に、凹部と該凹部に圧入して係合可能な凸部とをそれぞれ有していることを特徴とする携帯用電子機器。
【請求項７】
請求項１から５のいずれか１項に記載の携帯用電子機器において、
前記固定手段が、前記第１の筐体と前記第２の筐体との対向面に、ガイド溝と該ガイド溝にスライドして挿入可能な凸条部とをそれぞれ有しており、凸条部をガイド溝に挿入したときに前記第１の筐体と前記第２の筐体とを離間する方向に規制することを特徴とする携帯用電子機器。
【請求項８】
請求項１から５のいずれか１項に記載の携帯用電子機器において、
前記固定手段が、前記第１の筐体と前記第２の筐体との対向面に、バイヨネット結合可能な第１の結合手段及び第２の結合手段をそれぞれ備えていることを特徴とする携帯用電子機器。
【請求項９】
請求項１から８のいずれか１項に記載の携帯用電子機器において、
前記本体又は前記バンドが、複数のスイッチを備え、
これらの前記スイッチのうちの１つは、前記音声出力手段を制御することを特徴とする携帯用電子機器。
【請求項１０】
請求項９に記載の携帯用電子機器において、
前記本体の表面に前記音声出力手段の出力情報を表示する表示部を備えていることを特徴とする携帯用電子機器。
【請求項１１】
請求項１０に記載の携帯用電子機器において、
前記表示部が、時刻表示機能を有していることを特徴とする携帯用電子機器。  
【請求項１２】
請求項９から１１のいずれか１項に記載の携帯用電子機器において、
前記複数のスイッチの１つをオンしたときに、前記音声出力手段が時刻を音声出力するよう設定されていることを特徴とする携帯用電子機器。
【請求項１３】
請求項１から１２のいずれか１項に記載の携帯用電子機器において、
前記第１の筐体と前記第２の筐体とを電気的に接続するコードを有し、
前記音声出力手段が、前記コードを介して少なくとも音声情報を前記第１のスピーカ及び前記第２のスピーカに出力することを特徴とする携帯用電子機器。
【請求項１４】
請求項１３に記載の携帯用電子機器において、
前記第１の筐体又は前記第２の筐体に設けられ、前記コードを本体内に巻取り可能な巻取り手段を備えていることを特徴とする携帯用電子機器。
【請求項１５】
請求項１から１２のいずれか１項に記載の携帯用電子機器において、
前記第１の筐体及び前記第２の筐体には、少なくとも一方に音声情報を送信する送信機能を有すると共に少なくとも他方に音声情報を受信する受信機能を有する無線通信手段を備え、
前記音声出力手段が、音声情報を前記第１のスピーカ及び前記第２のスピーカに出力することを特徴とする携帯用電子機器。
【請求項１６】
請求項１から１５のいずれか１項に記載の携帯用電子機器において、
前記音声出力手段が、前記第１のスピーカ及び第２のスピーカから発生させる出力音をそれぞれ調整するステレオ音量調整部を有していることを特徴とする携帯用電子機器。
【請求項１７】
請求項１から１６のいずれか１項に記載の携帯用電子機器において、
前記第１の筐体及び前記第２の筐体には、前記バンドを耳介に引っ掛けたときに、耳介に接触する位置に弾性を有するパッド部材が設けられていることを特徴とする携帯用電子機器。
【請求項１８】
請求項１７に記載の携帯用電子機器において、  
前記パッド部材が、前記第１のスピーカ及び前記第２のスピーカを囲むように配されていることを特徴とする携帯用電子機器。
【請求項１９】
請求項１から１８のいずれか１項に記載の携帯用電子機器において、
前記本体に、他の電子機器との間で少なくとも音声情報を受け渡す外部接続手段と、前記音声情報を記録するメモリとを備え、
前記音声出力手段が、前記メモリに記録された音声情報を音声出力することを特徴とする携帯用電子機器。
【請求項２０】
請求項１９に記載の携帯用電子機器において、
前記外部接続手段が、通信用ケーブルを接続可能なケーブル接続部を有していることを特徴とする携帯用電子機器。
【請求項２１】
請求項１９又は２０に記載の携帯用電子機器において、
前記外部接続手段が、前記他の電子機器との間で無線通信可能な外部無線通信手段を有していることを特徴とする携帯用電子機器。
【請求項２２】
請求項１９から２１のいずれか１項に記載の携帯用電子機器において、
前記外部接続手段が、メモリカードを接続可能なカード接続部を有していることを特徴とする携帯用電子機器。
【請求項２３】
請求項１から２２のいずれか１項に記載の携帯用電子機器において、
前記本体に、音声放送波を受信する電波受信部を備え、
前記音声出力手段が、前記音声放送波に基づいて音声出力することを特徴とする携帯用電子機器。
【請求項２４】
請求項１から２３のいずれか１項に記載の携帯用電子機器において、
前記本体に、充電可能な充電池と、該充電池に電力を充電する充電手段とを有していることを特徴とする携帯用電子機器。
【請求項２５】
請求項１から２４のいずれか１項に記載の携帯用電子機器において、
前記バンド変形手段は、前記第１のバンド及び第２のバンドを耳介に引っ掛けるように
変形させたときに、前記音声出力手段を音声出力可能な状態に設定することを特徴とする携帯用電子機器。
【請求項２６】
請求項１から２５のいずれか１項に記載の携帯用電子機器において、
前記第１のバンド及び第２のバンドが、断面略円状に形成され、
前記バンド変形手段が、前記本体に設けられて前記第１のバンド及び第２のバンドの基端側を挿入可能とされる挿入孔と、基端側を挿入孔の内部に向けて付勢する付勢手段と、挿入孔内に設けられて基端側の端面に離間接触可能な接触面を有する固定部材とを備え、
前記端面及び前記接触面には、それぞれ接触した際に嵌合して回転方向の動きを規制する凹凸部が形成されていることを特徴とする携帯用電子機器。
【請求項２７】
請求項１から２６のいずれか１項に記載の携帯用電子機器において、
前記第１のバンド及び第２のバンドが、折曲変形可能な弾性材料により形成されていることを特徴とする携帯用電子機器。
【発明の詳細な説明】
【技術分野】
【０００１】
本発明は、腕又は耳（耳介）に装着可能な携帯用電子機器に関するものである。
【背景技術】
【０００２】
現在、体の一部に装着して使用する携帯用電子機器は、様々なものが知られている。例えば、腕に装着して使用する電子腕時計や、耳に引っ掛けるように装着するヘッドセット（例えば、特許文献１、２及び３参照）等が知られている。
このような携帯用電子機器のうち、特に電子腕時計は、装着時の日常生活に対する影響が低く、また頻繁に時刻を確認するという生活スタイルにより、使用時又は未使用時に係わらず終日（例えば、朝装着してから夜外すまでの間）腕に装着しているのが一般的な使われ方である。
一方、上記ヘッドセット等の携帯用電子機器は、装着時に耳を塞いでしまうので、使用時にのみ装着して使用している。
【特許文献１】特開２０００−３２４５８７号公報（図１等）
【特許文献２】特開２００１−３４６２８７号公報（図１等）
【特許文献３】特開２００３−４７０８３号公報（図１等）
【発明の開示】
【発明が解決しようとする課題】
【０００３】
しかしながら、上記ヘッドセット等の使用時に体に装着する携帯用電子機器は、バック等に入れて共に持ち歩く必要があるので、煩わしさがあった。特に、ヘッドセット等は、電車等公共機関での移動や、歩行の際に容易に使用でき、また、日常生活の中でも使用頻度が高いため、常に持ち歩いている人がいるのが現状である。そのため、不使用時においても、バック等のヘッドセットを収納するものを持ち運ぶ必要があり、煩わしさを感じることがあった。
【０００４】
本発明は、このような事情に考慮してなされたもので、その目的は、腕時計のように煩わしさを感じることなく腕に装着できると共に、ヘッドセットとしても使用することができる携帯用電子機器を提供することである。
【課題を解決するための手段】
【０００５】
本発明は、前記課題を解決するために以下の手段を提供する。
本発明の携帯用電子機器は、第１の筐体と第２の筐体とからなる本体と、前記第１の筐体と前記第２の筐体とを互いに着脱可能に固定する固定手段と、前記第１の筐体及び前記第２の筐体に、それぞれ基端側が取り付けられて腕に装着可能な第１のバンド及び第２のバンドと、前記本体に対して前記第１のバンド及び前記第２のバンドの取付状態又はバンド自体の形状の変形が可能なバンド変形手段と、前記第１の筐体及び前記第２の筐体に設けられ、それぞれ音声を出力する第１のスピーカ及び第２のスピーカを有する音声出力手段とを備え、前記バンド変形手段が、耳の耳介に引っ掛けて保持可能な状態に前記第１のバンド及び前記第２のバンドを変形可能とされ、前記第１のスピーカ及び前記第２のスピーカが、前記第１のバンド及び前記第２のバンドを耳介に引っ掛けた状態で耳の外耳道に対向する位置に配されていることを特徴とするものである。
【０００６】
この発明に係る携帯用電子機器においては、第１のスピーカ及び第２のスピーカを使用しない場合には、固定手段により第１の筐体と第２の筐体とを固定し、第１のバンド及び第２のバンドを介して本体を腕に装着することができるので、煩わしさを感じることがない。
また、第１のスピーカ及び第２のスピーカを使用する場合には、第１の筐体と第２の筐体との固定を解いてそれぞれ分割した後に、バンド変形手段により、第１のバンド及び第２のバンドの取付状態又は第１のバンド及び第２のバンド自体の形状を変形させて、両バンドを耳の耳介に引っ掛けることができる。この際、第１のスピーカ及び第２のスピーカが、外耳道に対向する位置に配されているので、音声出力手段により音声を聞くことができる。つまり、本体を腕に装着した状態から、両バンドを介して容易に両耳に装着することができ、ヘッドセットとしても使用することができる。
【０００７】
また、本発明の携帯用電子機器は、上記本発明の携帯用電子機器において、前記本体が、略円板状とされ、前記第１の筐体及び前記第２の筐体が、前記本体の表面の中心軸に対して略半分に分割されてなることを特徴とするものである。
この発明に係る携帯用電子機器においては、第１の筐体及び第２の筐体が、共に同じ略半円状の形状となるので、耳に装着した際に、デザイン的に優れている。また、共に同じ形状であるので、両筐体を固定したときに、強度的なバランスが取りやすく、安定した状態で腕に装着することが可能である。
【０００８】
また、本発明の携帯用電子機器は、上記本発明の携帯用電子機器において、前記本体が、所定の厚さを有する略円板状とされ、前記第１の筐体及び前記第２の筐体が、前記本体の厚さ方向の略中心で上下に分割されてなることを特徴とするものである。
この発明に係る携帯用電子機器においては、第１の筐体及び第２の筐体が、共に同じ円板状の形状であるので、耳に装着した際に、よりデザイン的に優れた状態で使用することができる。また、両筐体を固定したときに、厚みが増して全体的な剛性が高まるので、より安定した状態で腕に装着することが可能である。
【０００９】
また、本発明の携帯用電子機器は、上記本発明のいずれかに記載の携帯用電子機器において、前記固定手段により、前記第１の筐体と前記第２の筐体とを固定したときに、前記第１のバンドと前記第２のバンドとが結合して１つのバンド形状となることを特徴とするものである。
この発明に係る携帯用電子機器においては、第１の筐体と第２の筐体とを固定したときに、両バンドが１つにまとまり、デザイン的にシンプルとなる。また、腕に装着するときに、一体的なバンドとなるので剛性が上がり、より安定した状態で腕に装着することができる。
【００１０】
また、本発明の携帯用電子機器は、上記本発明の携帯用電子機器において、前記第１のバンド及び前記第２のバンドが、前記第１の筐体と前記第２の筐体との分割線の延長線を中心として分割されることを特徴とするものである。
この発明に係る携帯用電子機器においては、両筐体を着脱するときに、両筐体と同じ分割線の延長で両バンドの分割が行える。従って、引っ掛かり等なく、円滑に両バンドを含めて両筐体の脱着を行うことができる。
【００１１】
また、本発明の携帯用電子機器は、上記本発明のいずれかに記載の携帯用電子機器において、前記固定手段が、前記第１の筐体と前記第２の筐体との対向面に、凹部と該凹部に圧入して係合可能な凸部とをそれぞれ有していることを特徴とするものである。
この発明に係る携帯用電子機器においては、凸部を凹部に圧入することで、両筐体の固定が行えると共に、凹部から凸部を引き抜くことで両筐体の固定を解いて分割することができる。このように、複雑な構成を備えることなく、凹部及び凸部により容易に固定手段を構成することができ、構造のシンプル化及び製造コストの低減化を図ることができる。
【００１２】
また、本発明の携帯用電子機器は、上記本発明のいずれかに記載の携帯用電子機器において、前記固定手段が、前記第１の筐体と前記第２の筐体との対向面に、ガイド溝と該ガイド溝にスライドして挿入可能な凸条部とをそれぞれ有しており、凸条部をガイド溝に挿入したときに前記第１の筐体と前記第２の筐体とを離間する方向に規制することを特徴とするものである。
この発明に係る携帯用電子機器においては、凸条部をガイド溝にスライドさせて挿入することで、両筐体の固定が行えると共に、ガイド溝から凸条部を引き抜くことで両筐体の固定を解いて分割することができる。このように、複雑な構成を備えることなく、ガイド溝及び凸条部により容易に固定手段を構成することができ、構造のシンプル化及び製造コストの低減化を図ることができる。
【００１３】
また、本発明の携帯用電子機器は、上記本発明のいずれかに記載の携帯用電子機器において、前記固定手段が、前記第１の筐体と前記第２の筐体との対向面に、バイヨネット結合可能な第１の結合手段及び第２の結合手段をそれぞれ備えていることを特徴とするものである。
この発明に係る携帯用電子機器においては、第１係止部及び第２係止部をバイヨネット結合することで、両筐体の固定及び分割を行える。従って、ワンタッチの脱着操作で容易且つ確実に両筐体の固定又は分割が行えるので、脱着における操作性の向上を図ることができる。
【００１４】
また、本発明の携帯用電子機器は、上記本発明のいずれかに記載の携帯用電子機器において、前記本体又は前記バンドが、複数のスイッチを備え、これらの前記スイッチのうちの１つは、前記音声出力手段を制御することを特徴とするものである。
この発明に係る携帯用電子機器においては、スイッチを入れることで、音声出力手段を制御することができ、腕又は耳の装着に応じて適切な使い分けを行うことができる。また、スピーカから所望する曲等の音声情報を出力することができる。
【００１５】
また、本発明の携帯用電子機器は、上記本発明の携帯用電子機器において、前記本体の表面に前記音声出力手段の出力情報を表示する表示部を備えていることを特徴とするものである。
この発明に係る携帯用電子機器においては、表示部に表示された出力情報を確認することで、間違えることなく確実に音声出力手段の制御を行うことができる。従って、操作性の向上を図ることができる。
【００１６】
また、本発明の携帯用電子機器は、上記本発明の携帯用電子機器において、前記表示部が、時刻表示機能を有していることを特徴とするものである。
この発明に係る携帯用電子機器においては、本体を腕に装着したときに、腕時計のように使用することができる。
【００１７】
また、本発明の携帯用電子機器は、上記本発明のいずれかに記載の携帯用電子機器において、前記複数のスイッチの１つをオンしたときに、前記音声出力手段が時刻を音声出力するよう設定されていることを特徴とするものである。
この発明に係る携帯用電子機器においては、本体を耳に装着した場合においても、時刻を容易に確認することができる。
【００１８】
また、本発明の携帯用電子機器は、上記本発明のいずれかに記載の携帯用電子機器において、前記第１の筐体と前記第２の筐体とを電気的に接続するコードを有し、前記音声出力手段が、前記コードを介して少なくとも音声情報を前記第１のスピーカ及び前記第２のスピーカに出力することを特徴とするものである。
この発明に係る携帯用電子機器においては、コードにより両スピーカから確実に音声を出力することができる。特に、有線であるため、音声出力手段と両スピーカとの間で、例えば、外部からの電波干渉や音声情報の混線等を防止し、明瞭な音声を聞くことができる。
【００１９】
また、本発明の携帯用電子機器は、上記本発明の携帯用電子機器において、前記第１の筐体又は前記第２の筐体に設けられ、前記コードを本体内に巻取り可能な巻取り手段を備えていることを特徴とするものである。
この発明に係る携帯用電子機器においては、第１の筐体と第２の筐体とを固定したときに、巻取り手段によりコードを本体内に巻き取って収納できる。また、両筐体を耳に装着した際に、コードの長さを最適な任意の長さに調整することができる。このように、使用状況に応じてコードの余長分を調整できるので、使い易さが向上する。
【００２０】
また、本発明の携帯用電子機器は、上記本発明のいずれかに記載の携帯用電子機器において、前記第１の筐体及び前記第２の筐体には、少なくとも一方に音声情報を送信する送信機能を有すると共に少なくとも他方に音声情報を受信する受信機能を有する無線通信手段を備え、前記音声出力手段が、音声情報を前記第１のスピーカ及び前記第２のスピーカに出力することを特徴とするものである。
この発明に係る携帯用電子機器においては、無線通信手段を介して音声出力手段から所望のスピーカに音声を無線通信して出力することができるので、第１の筐体及び第２の筐体を両耳に装着したときに、両筐体間を電気的に接続する配線等のケーブルが不要である。従って、特に、耳に装着したときに、煩わしさを感じることがないばかりでなく、ケーブルへの引っかかり等をなくすことができる。
【００２１】
また、本発明の携帯用電子機器は、上記本発明のいずれかに記載の携帯用電子機器において、前記音声出力手段が、前記第１のスピーカ及び第２のスピーカから発生させる出力音をそれぞれ調整するステレオ音量調整部を有していることを特徴とするものである。
この発明に係る携帯用電子機器においては、第１のスピーカ及び第２のスピーカからステレオ音量調整部により調整された出力音を出力するので、適当な音量のステレオ状態で音声を聞くことができる。従って、機能性の向上化を図ることができる。
【００２２】
また、本発明の携帯用電子機器は、上記本発明のいずれかに記載の携帯用電子機器において、前記第１の筐体及び前記第２の筐体には、前記バンドを耳介に引っ掛けたときに、耳介に接触する位置に弾性を有するパッド部材が設けられていることを特徴とするものである。
この発明に係る携帯用電子機器においては、耳に装着したときに、第１の筐体及び第２の筐体と耳介との間にパッド部材が設けられているので、該パッド部材がクッションとなる。従って、両筐体と耳との間の干渉が低減され、装着感が向上すると共に耳への保護となる。
【００２３】
また、本発明の携帯用電子機器は、上記本発明の携帯用電子機器において、前記パッド部材が、前記第１のスピーカ及び前記第２のスピーカを囲むように配されていることを特徴とするものである。
この発明に係る携帯用電子機器においては、耳に装着したときに、パッド部材が、第１のスピーカ及び第２のスピーカの周囲を囲むように両筐体と耳介との間の隙間を埋めるので、スピーカからの音漏れを防止することができる。
【００２４】
また、本発明の携帯用電子機器は、上記本発明のいずれかに記載の携帯用電子機器において、前記本体に、他の電子機器との間で少なくとも音声情報を受け渡す外部接続手段と、前記音声情報を記録するメモリとを備え、前記音声出力手段が、前記メモリに記録された音声情報を音声出力することを特徴とするものである。
この発明に係る携帯用電子機器においては、外部接続手段によりパーソナルコンピュータ等の他の電子機器から所望する音声情報を容易に入手でき、メモリに入手した音声情報の記録が逐次行える。また、音声出力手段により、メモリに記録した様々な音声情報の中から所望する音声情報の再生を行うことができる。このように、他の電子機器から所望する音声情報、例えば、好きな音楽等を入手して聞くことができる。
【００２５】
また、本発明の携帯用電子機器は、上記本発明の携帯用電子機器において、前記外部接続手段が、通信用ケーブルを接続可能なケーブル接続部を有していることを特徴とするものである。
この発明に係る携帯用電子機器においては、ケーブル接続部に、例えば、ＵＳＢケーブル等の通信用ケーブルを接続することで、パーソナルコンピュータ等の他の電子機器から曲等の音声情報を入手したり、記録することができる。
【００２６】
また、本発明の携帯用電子機器は、上記本発明の携帯用電子機器において、前記外部接続手段が、前記他の電子機器との間で無線通信可能な外部無線通信手段を有していることを特徴とするものである。
この発明に係る携帯用電子機器においては、外部無線通信手段を介して他の電子機器からＢｌｕｅｔｏｏｔｈ等の無線通信により曲等の音声情報を入手したり、記録することができる。
【００２７】
また、本発明の携帯用電子機器は、上記本発明のいずれかに記載の携帯用電子機器において、前記外部接続手段が、メモリカードを接続可能なカード接続部を有していることを特徴とするものである。
この発明に係る携帯用電子機器においては、カード接続部にメモリカードを接続することで、他の電子機器から曲等の音声情報を入手したり、記録することができる。
【００２８】
また、本発明の携帯用電子機器は、上記本発明のいずれかに記載の携帯用電子機器において、前記本体に、音声放送波を受信する電波受信部を備え、前記音声出力手段が、前記音声放送波に基づいて音声出力することを特徴とするものである。
この発明に係る携帯用電子機器においては、電波受信部により受信した、例えば、ラジオ電波等の音声放送波に基づいて、ＡＭラジオやＦＭラジオ等の音声情報を聞くことができる。
【００２９】
また、本発明の携帯用電子機器は、上記本発明のいずれかに記載の携帯用電子機器において、前記本体に、充電可能な充電池と、該充電池に電力を充電する充電手段とを有していることを特徴とするものである。
この発明に係る携帯用電子機器においては、充電手段を介して充電池に外部からの電力を充電できるので、通常の電池等を別個に用意する必要がない。従って、製品の維持に係るコストを低減することができる。
【００３０】
また、本発明の携帯用電子機器は、上記本発明のいずれかに記載の携帯用電子機器において、前記バンド変形手段は、前記第１のバンド及び第２のバンドを耳介に引っ掛けるように変形させたときに、前記音声出力手段を音声出力可能な状態に設定することを特徴とするものである。
この発明に係る携帯用電子機器においては、耳介に引っ掛けるように第１のバンド及び第２のバンドを変形させたときに、バンド変形手段が音声出力手段を音声出力可能な状態、例えば、音声出力モードに設定を変更する。従って、特に他の操作を行うことなく、容易にヘッドセットとしてすぐに使用することができ、機能性の向上化を図ることができる。
【００３１】
また、本発明の携帯用電子機器は、上記本発明のいずれかに記載の携帯用電子機器において、前記第１のバンド及び第２のバンドが、断面略円状に形成され、前記バンド変形手段が、前記本体に設けられて前記第１のバンド及び第２のバンドの基端側を挿入可能とされる挿入孔と、基端側を挿入孔の内部に向けて付勢する付勢手段と、挿入孔内に設けられて基端側の端面に離間接触可能な接触面を有する固定部材とを備え、前記端面及び前記接触面には、それぞれ接触した際に嵌合して回転方向の動きを規制する凹凸部が形成されていることを特徴とするものである。
この発明に係る携帯用電子機器においては、第１のバンド及び第２のバンドの基端側を挿入孔の外部、即ち、本体の外部に向けて付勢手段に抗する力で引っ張ると、基端側の端面が固定部材の接触面から離間する。この状態で、第１のバンド及び第２のバンドを軸回りに回転させることで、本体に対する第１のバンド及び第２のバンドの取り付け状態の変更が行える。また、取付状態の変更後、第１のバンド及び第２のバンドの基端側を離すと、該第１のバンド及び第２のバンドは付勢手段により挿入孔内部に向けて付勢され、基端側端面が固定部材の接触部材に接触すると共に、凹凸部によって互いが勘合する。これにより、第１のバンド及び第２のバンドの回転が規制される。このように、バンド変形手段は、第１のバンド及び第２のバンドの取付状態を軸回りに回転させることで、容易に変更することができると共に、変更した角度で保持することができる。従って、腕や耳に装着する際、それぞれの形状に応じた取付状態で装着を行うことができる。
【００３２】
また、本発明の携帯用電子機器は、上記本発明のいずれかに記載の携帯用電子機器において、前記第１のバンド及び第２のバンドが、折曲変形可能な弾性材料により形成されていることを特徴とするものである。
この発明に係る携帯用電子機器においては、第１のバンド及び第２のバンドが折曲変形可能であるので、腕や耳に装着する際、微調整を行うことができる。従って、より耳介の形状等に応じた取付状態にでき、がたつき等をなくして、より確実に装着を行うことができる。
【発明の効果】
【００３３】
本発明に係る携帯用電子機器によれば、第１のスピーカ及び第２のスピーカを使用しない場合には、第１の筐体と第２の筐体とを固定することで、例えば、腕時計のように煩わしさを感じることがなく腕に装着でき、第１のスピーカ及び第２のスピーカを使用する場合には、第１の筐体と第２の筐体とを分割して両耳に装着することで、ヘッドセットとして使用することができる。
【発明を実施するための最良の形態】
【００３４】
以下、本発明に係る携帯用電子機器の第１実施形態を、図１から図１４を参照して説明する。なお、本実施形態の携帯用電子機器は、ヘッドセットの機能を有する電子腕時計として説明する。
本実施形態の携帯用電子機器１は、図１から図６に示すように、第１ケース部（第１の筐体）２と第２ケース部（第２の筐体）３とからなる本体４と、第１ケース部２と第２ケース部３とを互いに着脱可能に固定する固定手段５と、第１ケース部２及び第２ケース部３に、それぞれ基端側が取り付けられて腕に装着可能な第１のバンド６及び第２のバンド７と、上記本体４に対して第１のバンド６及び第２のバンド７の取付状態又は第１のバンド６及び第２のバンド７自体の形状の変形が可能なバンド変形手段８と、第１ケース部２及び第２ケース部３に設けられ、それぞれ音声を出力する第１のスピーカ９及び第２のスピーカ１０を有する音声出力手段１１とを備えている。
上記バンド変形手段８は、耳の耳介に引っ掛けて保持可能な状態に両バンド６、７を変形可能とされている。これについては、後に詳細に説明する。
また、本実施形態の携帯用電子機器１は、第１ケース部２と第２ケース部３とを電気的に接続するコード１４を有しており、上記音声出力手段１１がこのコード１４を介して少なくとも音声情報を第１のスピーカ９及び第２のスピーカ１０から出力するようになっている。
【００３５】
上記第１ケース部２及び第２ケース部３は、プラスチックやアルミ等の金属材料からなり、両ケース部２、３を固定したときに本体４が上面視略円板状となるように形成されている。即ち、第１ケース部２及び第２ケース部３は、本体４の中心軸Ａに対して略半分に分割されるように、所定の厚みをもってそれぞれ左右対称の略半円状に形成されている。
なお、第１ケース部２及び第２ケース部３は、それぞれ対向面２ａ、３ａ同士を当接した状態で互いに固定されるようになっている。
【００３６】
第１ケース部２は、表面に半円形状のカバーガラス１５が嵌め込まれており、該カバーガラス１５の内側に上記音声出力手段１１の出力情報を表示するＬＣＤ（Liquid Crystal Display）等の液晶表示器である表示部１６が配されている。また、第１ケース部２の裏面には、中央部分に複数の音孔１７が形成されている。更に、第１ケース部２内には、図８に示すように、基板１８に実装された制御部２０、上記第１のスピーカ９、上記表示部１６、図示しないパーソナルコンピュータ等の他の電子機器との間で音声情報を受け渡す外部接続手段（ケーブル接続部）２１、該外部接続手段２１により入手した音声情報を記録するメモリ２２及び充電可能な充電池２３を内蔵している。
【００３７】
上記制御部２０は、図７に示すように、ＣＰＵ等の演算処理部２５、プラグラム等を記録しているＲＯＭ（Read Only Memory）２６、一時記憶媒体であるＲＡＭ（Random  Access Memory）２７、表示部１６の制御を行う表示制御部２８及び後述する各種ボタンの入力を制御する入力制御部２９を有している。
また、制御部２０は、メモリ２２に記録されている音声情報を、デコーダ機能及びアンプ機能を有する音声変換部３０を介して第１のスピーカ９及び第２のスピーカ１０から音声出力させる機能を有している。更に、制御部２０は、例えば、水晶振動子等の時刻をカウントする時計部３１と接続されている。これにより、表示部１６は、上述した音声出力手段１１の出力情報、時計部３１によりカウントされた時刻、表示制御部２８から出力されたその他各種情報を表示する機能を有している。例えば、図１に示すように、時刻、日付、曜日や充電池２３の残電力量等を表示できるようになっている。
【００３８】
更に、制御部２０は、時計部３１によりカウントされた時刻を音声に変換する音声合成部３２が接続されており、後述するボタンの１つによって、時計部３１によりカウントされた時刻を第１のスピーカ９及び第２のスピーカ１０から音声出力するように設定されている。
即ち、制御部２０、音声変換部３０、音声合成部３２、第１のスピーカ９及び第２のスピーカ１０は、上記音声出力手段１１として機能するようになっている。
なお、音声出力手段１１を構成している音声変換部３０は、第１のスピーカ９及び第２のスピーカ１０から発生させる出力音をそれぞれ調整するステレオ音量調整の機能も有している。これにより、後述するボタンの１つにより、両スピーカ９、１０から適当な音量のステレオ状態で音声を聞くことができるようになっている。なお、音声変換部３０にステレオ音量調整の機能を持たせたが、別個に両スピーカ９、１０から発生させる出力音をそれぞれ調整するステレオ音量調整部を備えても構わない。
【００３９】
上記第１のスピーカ９は、図８に示すように、上記音孔１７に隣接するように配されており、音孔１７を介して第１ケース部２の裏面側に向けて音声出力できるようになっている。つまり、第１のスピーカ９は、上記第１のバンド６を耳介に引っ掛けた状態で、耳の外耳道に対向する位置に配されている。
また、第１ケース部２の裏面には、図５に示すように、上記第１のバンド６を耳介に引っ掛けたときに、耳介に接触する位置に弾性を有するパッド部材３５が配されている。このパッド部材３５は、例えば、ウレタン等からなり上記音孔１７を囲むように、即ち、第１のスピーカ９を囲むように配されている。
【００４０】
上記外部接続手段２１は、図７に示すように、図示しないＵＳＢケーブル（通信用ケーブル）を接続可能なコネクタ部３６ａと通信部３６ｂとを備えている。これにより、他の電子機器からＵＳＢケーブルを介して曲等の音声情報を入手することができるようになっている。また、入手した音楽情報は、上記メモリ２２内に記録できるようになっている。
なお、コネクタ部３６ｂは、図１から図８に示すように、第１ケース部２に設けられた脱着可能なゴム製のカバー３７によってＵＳＢケーブルの未接続時に蓋をされて外部に露出しないようになっている。更に、カバー３７には、図７及び図８に示すように、充電用コネクタ（充電手段）３８が配されており、図示しない充電器から上記充電池２３に電力を充電できるようになっている。この際、カバー３７にパッキン等を取り付けて、防水機能を有するように構成することが好ましい。こうすることで、コネクタ部３６ａ及び充電用コネクタ３８を水滴等から保護することが可能である。
なお、充電用コネクタ３８に限らず、充電器及び第１ケース部２内にそれぞれ電力を伝達するためのトランス等を設け、非接触状態で充電池２３の充電を行うように構成しても構わない。
【００４１】
第２ケース部３は、図８に示すように、第１ケース部２と同様に、裏面の中央部分に複数の音孔１７が形成されており、上記第２のスピーカ１０、上記コード１４を第２ケース部３内に巻取り可能な巻取り手段４０が設けられている。また、第２ケース部３の表面の略中心には、図１から図６に示すように、巻取り手段４０を作動させる巻取りボタン４１が配設されている。
第２のスピーカ１０は、上記第１のスピーカ９と同様に、音孔１７に隣接するように配されて、第２のバンド７を耳介に引っ掛けた状態で、耳の外耳道に対向するようになっている。
また、第２ケース部３の裏面には、第１ケース部２と同様に、上記第２のバンド７を耳介に引っ掛けたときに、耳介に接触する位置にウレタン等の弾性を有するパッド部材３５が上記音孔１７を囲むように、即ち、第２のスピーカ１０を囲むように配されている。
この第２のスピーカ１０は、コード１４を介して第１ケース部２の音声変換部３０に接続されており、音声変換部３０により変換された音声が入力されるようになっている。
【００４２】
上記巻取り手段４０は、図９及び図１０に示すように、軸部材４２の軸線回りに回転可能に支持されると共にコード１４をフランジ４３ａ、４３ｂ間の外周面に巻回可能なリール４３と、リール４３を軸線回りの一方向（図１０に示すＲ方向）に向けて付勢するコイルスプリング４４と、リール４３を上記一方向に回転規制する規制手段４５とを有している。
上記軸部材４２は、円柱状に形成されて第２ケース部３内で対向面３ａと平行になるように設けられている。上記リール４３は、中心部分に上記コイルスプリング４４を収納する凹部４３ｃが形成されている。コイルスプリング４４は、この凹部４３ｃ内に収納されると共に両端が軸部材４２及び凹部４３ｃの内周面に取り付けられている。これにより、リール４３は、常に一方向に付勢されるようになっている。
【００４３】
また、フランジ４３ａ、４３ｂのうち一方のフランジ４３ｂには、切り欠き部４６が所定の角度毎に形成されている。また、リール４３に隣接する位置には、ストッパ４７がピン４８を中心として回転自在に配設されており、ストッパ４７には上記切り欠き部４６に係合可能な鉤状の爪部４７ａが形成されている。この爪部４７ａ及び切り欠き部４６は、係合状態のときにそれぞれリール４３が一方向に回転しない形状となっている。また、ストッパ４７の先端は、リール４３を他方向（図１０に示すＲ方向とは逆方向）に回転したときに、その回転を妨げないように、例えば、円弧状に形成されている。なお、ストッパ４７は、図示しないスプリング等により爪部４７ａが一方のフランジ４３ｂに向けて付勢されている。即ち、切り欠き部４６及びストッパ４７は、上記規制手段４５を構成している。
上記巻取りボタン４１は、ストッパ４７の基端側に機械的に連結されており、押下されることで、ストッパ４７をスプリングに抗するように回転するようになっている。これにより、爪部４７ａと切り欠き部４６との係合が解かれて、リール４３がコイルスプリング４４によって一方向に向けて回転し、コード１４を第２ケース部３内に巻き取ることができるようになっている。
【００４４】
更に、本体４には、複数のボタン（スイッチ）が設けられており、これらの各ボタンのうち少なくとも１つは、上記音声出力手段１１を制御できるようになっている。
本実施形態では、第２ケース部３の表面及び側面に配された操作ボタン５０と、第２ケース部３の側面に配された音量調整ボタン５１と、第１ケース部２の側面に配されたモード切替ボタン５２とを備えている。操作ボタン５０のうち、表面に配されている２つの操作ボタン５０は、巻取りボタン４１を間に挟むように配されており、側面に配されている別の２つの操作ボタン５０は、音量調整ボタン５１を間に挟むように配されている。
上記各ボタンは、図７に示すように、押下したときに基板１８に電気的に接続されたスイッチ（ＳＷ）を介して制御部２０の入力制御部２９に信号を送り、各種操作ができるようになっている。なお、第２ケース部３に配された操作ボタン５０及び音量調整ボタン５１は、コード１４を介して入力制御部２９に信号を送るようになっている。
【００４５】
各ボタンのうち、例えば、モード切替ボタン５２を押下することで、例えば、時計モードから音楽再生モードに変更するようになっている。また、この際に、各操作ボタン５０を押下することで、メモリ２２に記録されている曲等の音声情報の再生、一時停止、停止、巻き戻しや前後曲へのステップ等を行うことができるようになっている。即ち、音楽再生モードにおける操作ボタン５０は、音声出力手段１１を制御するよう設定されている。更に、音楽再生モードの際に、音量調整ボタン５１を押下することで、第１のスピーカ９及び第２のスピーカ１０から出力される音量を変更できるようになっている。なお、この際、表示部１６は、曲の再生時間、音量レベルや作動状況（再生中、一時停止中等）、曲名、曲番号等を表示するよう設定されている。
【００４６】
なお、音楽再生モードだけでなく、モード切替ボタン５２を押下する毎に、その他の各モード、例えば、ストップウォッチモードや、アラーム設定モード等に切り替えることができるように自由に設定して構わない。この場合には、各ボタンは、各モードに対応するように設定することが可能である。例えば、ストップウォッチモードの時に、各操作ボタン５０を、時間の測定開始ボタン、停止ボタンやラップ測定ボタン等として機能させることが可能である。つまり、各ボタンは、各モードに応じて複数の機能を有するように設定することが可能である。
また、音楽再生モードの際に、上記ボタンを押下したときに、音声出力手段１１が時刻を音声出力するよう設定されている。例えば、操作ボタン５０のうち、再生ボタン及び一時停止ボタンを両方同時に押下したときに、音声合成部３２を介して音声に変換された時刻が第１のスピーカ９及び第２のスピーカ１０から音声出力されるようになっている。この際、音楽を一旦停止して時刻を音声出力させても構わないし、音楽と同時に時刻を音声出力させても構わない。
【００４７】
上記固定手段５は、図４、５及び９に示すように、第１ケース部２と第２ケース部３との対向面２ａ、３ａに、凹部５５と該凹部５５に圧入して係合可能な凸部５６とをそれぞれ有している。即ち、第１ケース部２の対向面２ａには、プラスチック等の弾性材料により形成された凹部５５と、凸部５６とが所定間隔離間した状態で形成されている。また、第２ケース部３の対向面３ａには、第１ケース部２の凹部５５及び凸部５６に対向する位置に、係合相手である凹部５５、凸部５６が形成されている。
それぞれの凸部５６を凹部５５に圧入することで、第１ケース部２と第２ケース部３とを固定したり、凸部５６を凹部５５から引き抜くことで、第１ケース部２と第２ケース部３とを離間できるようになっている。
【００４８】
第１ケース部２の第１のバンド６は、図１から図６に示すように、第１のバンド部６ａ及び第２のバンド部６ｂから構成され、折曲変可能な弾性材料により基端側が断面略円状に形成された弾力性アームとなっている。第１バント部６ａ及び第２バンド部６ｂは、中心軸に沿って第１ケース部２のそれぞれ反対側に対向するように基端側が取り付けられている。即ち、第１のバンド６及び第２のバンド７は、第１ケース部２と第２ケース部３との分割線の延長線を中心として分割されるようになっており、第１ケース部２と第２ケース部３とを固定手段５により固定したときに、結合して１つのバンド形状となるように構成されている。
また、第１バント部６ａ及び第２バンド部６ｂの一端側の表面には、シリコン等の滑止材６ｃがコーティングされている。
更に、第２ケース部３の第２のバンド７も第１のバンド６と同様に、第１のバンド部７ａ及び第２のバンド部７ｂを有しており、それぞれの先端には、滑止材７ｃがコーティングされている。
【００４９】
上記バンド変形手段８は、図１１及び図１２に示すように、各バンド、即ち、第１バンド６の第１バンド部６ａ及び第２バンド部６ｂと、第２バンド７の第１バンド部７ａ及び第２バンド部７ｂの基端側に取り付けられている。つまり、バンド変形手段８は、第１ケース部２及び第２ケース部３に設けられて第１バンド６及び第２バンド７の基端側を挿入可能とされる挿入孔６０と、基端側を挿入孔６０の内部に向けて付勢する付勢手段６１と、挿入孔６０内に設けられて基端側の端面６２に離間接触可能な接触面６３を有する固定部材６４とを備えている。また、端面６２及び接触面６３には、それぞれ接触した際に嵌合して回転方向の動きを規制する歯部（凹凸部）６２ａ、６３ａが形成されている。
また、上記第１バンド６及び第２バンド７は、それぞれ上記端面６２の中央から軸方向に突出した縮径部６５を有している。即ち、上記歯部６２ａは、端面６２上において、縮径部６５を囲むように形成されていると共に、周方向に山と谷を順次繰り返すように形成されている。
【００５０】
上記縮径部６５は、先端面の中央位置に軸方向に向けてネジ孔６５ａが形成されている。該ネジ孔６５ａに、キャップネジ部材６６のネジ６６ａを螺合することによって、縮径部６５の先端にキャップネジ部材６６を固定できるようになっている。なお、キャップネジ部材６６の外径は、縮径部６５より大きく、且つ、上記挿入孔６０の内径より若干小さくなるように形成されている。また、キャップネジ部材６６の外周面には、環状溝６６ｂが形成されており、該環状溝６６ｂに、挿入孔６０の内径に密着するＯリング等のパッキン６７が嵌合されてる。つまり、第１バンド６及び第２バンド７の基端側を挿入孔６０に対して進退させると、パッキン６７が挿入孔６０内に密接した状態を維持しながら進退するようになっている。
【００５１】
上記固定部材６４は、所定の厚さを有して環状に形成されると共に中心孔の内径が縮径部６５の外周面に当接するように形成され、挿入孔６０内に圧入固定されている。この際、固定部材６４は、挿入孔６０の略中間部に形成された当接部６０ａに当接することで、確実に位置決めがされるようになっている。また、固定部材６４の挿入孔６０内部に向かう端面と、上記キャップネジ部材６６の端面との間には、スプリング６８が介在されており、常にキャップネジ部材６６を挿入孔６０の内部に向けて付勢するようになっている。これにより、第１バンド部６及び第２バンド部７の基端側を挿入孔６０の内部に向けて付勢するようになっている。即ち、これら固定部材６４、キャップネジ部材６６及びスプリング６８は、上記付勢手段６１として機能するようになっている。
また、固定部材６４の挿入孔６０外部に向かう端面は上記接触面６３とされ、該接触面６３に上記歯部６３ａが形成されている。この歯部６３ａは、上記歯部６２ａと同様に縮径部６５の軸線に対して周方向に向けて山と谷を順次繰り返すように形成されている。
なお、歯部６２ａ、６３ａは、山と谷を例えば、縮径部６５の軸線回りに、例えば、１０度の角度毎に繰り返すように形成されている。なお、１０度に限られるものではない。
【００５２】
このように構成された携帯用電子機器１を使用する場合について、以下に説明する。
なお、初期状態として、第１ケース部２及び２ケース部３は、固定手段５により固定されていると共に表示部１６を正面から見たときに、図１に示すように、第１バンド６及び第２バンド７の先端側が本体４の真下に位置する状態になっているとして説明する。
まず、本実施形態の携帯用電子機器１は、通常時において、電子腕時計として使用することが可能である。即ち、第１バンド部６ａ、７ａ及び第２バンド部６ｂ、７ｂをそれぞれ外側に広げるように引張った状態で腕（手首）に装着する。装着後、第１バンド６及び第２バンド７は、弾性の性質により腕を締め付けるので、がたつくことなく確実に腕に装着することができる。特に、第１バンド６及び第２バンド７の先端側には、滑止材６ｃ、７ｃがコーティングされているので、確実に腕に装着することが可能である。
更に、第１のバンド６及び第２のバンド７は、１つのバンド形状となっているので、剛性があり、より安定した状態での装着が行える。また、電子腕時計として使用する場合には、バンドが１つにまとまっているのでデザイン的にシンプルである。同様に、第１ケース部２及び第２ケース部３は、中心軸Ａを挟んで互いに左右対称な半円形状であるので、固定して円板状としたときに分割線がいびつな形状とならず、デザイン的にもすっきりした状態で使用することができる。また、強度的なバランスもとり易い。  
【００５３】
次に、ヘッドセットとして使用する場合には、携帯用電子機器１を腕から取り外した後、図６に示すように、第１ケース部２と第２ケース部３との固定を解いて離間させる。即ち、第１ケース部２と第２ケース部３とを中心軸Ａを境に互いに離間するように引っ張ることで、第１ケース部２及び第２ケース部３の凸部５６が凹部５５から外れ、両ケース部２、３が離間する。この際、第１ケース部２と第２ケース部３との同じ分割線の延長で第１のバンド６と第２のバンド７とが分割するので、引っ掛かり等がなく、円滑に両バンド６、７を含めて第１ケース部２と第２ケース部３とを分割することができる。また、両ケース部２、３は、それぞれ異なる形状ではなく、共に同じ半円形状であるので、デザイン的にすっきりしている。
【００５４】
第１ケース部２と第２ケース部３との分割後、一旦ある程度の長さまで、コード１４を第２ケース部３から引き出す。つまり、図１０に示すように、コード１４をコイルスプリング４４に抗する力で引出し、リール４３を他方向（Ｒ方向とは逆方向）に回転させる。この際、ストッパ４７は、先端の形状により他方向へのリール４３の回転を妨げることはないので、円滑にコード１４を引き出すことができる。コード１４の引出しを終了すると、コイルスプリング４４に付勢されてリール４３が一方向（Ｒ方向）に回転し、ストッパ４７の爪部４７ａがフランジ４３ｂの切り欠き部４６に係合する。これにより、コード１４が第２ケース部３から引き出された状態で維持される。
【００５５】
次に、第１バンド６及び第２バンド７の取付状態を変更する。（図６に示される点線状態）即ち、図１１及び図１２に示されるように、まず、第１バンド６及び第２バンド７の第１バンド部６ａ、７ａ及び第２バンド部６ｂ、７ｂの基端側を挿入孔６０の外部に向けて引っ張る。この際、スプリング６８のスプリング力に抗する力で基端側を引っ張る。これにより、第１バンド部６ａ、７ａ及び第２バンド部６ｂ、７ｂが、挿入孔６０の外部に向けて移動する。即ち、基端側の端面６２が固定部材６４の接触面６３から離間する。この状態において、第１バンド部６ａ、７ａ及び第２バンド部６ｂ、７ｂを挿入孔６０の軸回りに所定角度回転させる。所定角度回転後、第１バンド部６ａ、７ａ及び第２バンド部６ｂ、７ｂの引張り状態を解くと、付勢手段６１が基端側を挿入孔６０の内部に向けて付勢する。これにより、端面６２と接触面６３とが再度接触すると共に、６２ａ、６３ａが互いに嵌合する。従って、第１のバンド６及び第２のバンド７は、取付角度（取付状態）が変更されると共に、変更後の角度で保持された状態となる。
【００５６】
バンド変形手段８により、第１のバンド６及び第２のバンド７の取付状態を変更後、モード切替ボタン５２を押下して時計モードから音楽再生モードに変更する。この際、表示部１６の表示が切り替わるので、音楽再生モードが適切に選択されたことを容易に確認することができる。モード変更後、図１３及び図１４に示すように、第１ケース部２及び第２ケース部３の裏面側を耳介に接触するように、第１のバンド６及び第２のバンド７を耳の耳介に引っ掛けて耳介に装着する。この際、耳介の角度に応じて、第１バンド部６ａ、７ａ及び第２バンド部６ｂ、７ｂの取付状態を、それぞれバンド変形手段８により変えて微調整すると良い。また、両バンド６、７は、折曲変形可能な材料により形成されているので、より細かな微調整が可能である。これらの微調整により、がたつくことなく、確実に両バンド６、７を耳介に引っ掛けて装着することができる。なお、この状態は、第１のスピーカ９及び第２のスピーカ１０が外耳道に対して対向配置している状態である。
また、装着時において、第１ケース部２及び第２ケース部３の裏面には、パッド部材３５が配されているので、該パッド部材３５がクッションとなり、耳介と第１ケース部２及び第２ケース部３との干渉を和らげる。従って、装着感が向上すると共に耳を保護する。
【００５７】
耳への装着後、必要に応じて先ほどある程度の長さまで引き出したコード１４を最適の長さに調整する。即ち、第２ケース部３の表面に配されている巻取りボタン４１を押下してコード１４の長さを調整する。巻取りボタン４１を押下すると、図１０に示すストッパ４７をリール４３から離間するように回転させるので、爪部４７ａと切り欠き部４６との係合が解かれる。これにより、リール４３が、コイルスプリング４４により一方向に回転してコード１４を第２ケース部３内に巻き取り、コード１４の長さを短く調整することができる。また、巻取りボタン４１の押下を止めると、スプリングにより再度ストッパ４７がリール４３に当接して、爪部４７ａが切り欠き部４６に係合してコード１４の巻取りが停止する。このように、巻取りボタン４１を押下することで、コード１４の長さ（余長分）を両耳の間隔に合わせて最適な任意の長さに調整することができる。
【００５８】
そして、操作ボタン５０を押下して、メモリ２２に記録されている音声情報、例えば、曲を再生することで、ヘッドセットとして使用することができる。特に、パッド部材３５は、第１のスピーカ９及び第２のスピーカ１０を囲むように配されているので、音孔１７から音声出力された音は、外部に漏れ難く、効率良く外耳道に伝達する。従って、雑音等を抑えた状態で音楽を聴くことができる。また、音楽を聞いている際、各操作ボタン５０を操作することで、曲の早送り、巻き戻し又は曲変更等を自由に行うことができると共に、音量調整ボタン５１を押下することで、音量を自由に調整することができる。また、音楽を聞いている際、操作ボタン５０のうち、再生ボタン及び一時停止ボタンを両方同時に押下することで、時刻を第１のスピーカ９及び第２のスピーカ１０を介して容易に聞くことができる。
このように、各ボタンを使用することで、音声出力手段１１を制御でき、腕又は耳への装着に応じた使い分けや、所望の操作を行うことができる。
【００５９】
更に、音声出力手段１１と第２のスピーカ１０とは、コード１４による有線により接続されているので、音声出力手段１１と両スピーカ９、１０との間で、例えば、外部からの電波干渉や音声情報の混線等が防ぐことができ、両スピーカ９、１０から明瞭な音声を聞くことができる。さらに、音声変換部３０によるステレオ調整機能により、適当な音量のステレオ状態で音声を聞くことができる。
【００６０】
更に、メモリ２２に記録されている音楽等の音声情報を変更する場合には、カバー３７を取り外し、パーソナルコンピュータ等の他の電子機器に接続されているＵＳＢケーブルを、コネクタ部３６ｂに接続する。これにより、他の電子機器から新たな曲等の音楽情報をメモリ２２に記録することが可能である。また、記録だけでなく、既にメモリ２２に記録されている音楽情報を削除することも可能である。
また、充電池２３に電力を充電する場合には、充電器からの充電コード等を充電用コネクタ３８に接続することで充電を行うことができ、通常の電池を別個に用意する必要はない。従って、維持経費の削減を図ることができる。
また、音楽を聴いている際に、充電池２３の残電力が“０“に近くなるまで減少した場合には、これを知らせるために、音声出力手段１１が、アラーム音を音声出力して知らせるように設定しても構わない。なお、アラーム音を出力する前に、充電池２３の残電力量が表示部１６に表示されるようになっている。
【００６１】
また、ヘッドセットとしての使用を止めて、再度電子腕時計として使用する場合には、両耳から第１ケース部２及び第２ケース部３を取り外した後、巻取りボタン４１を押下してコード１４を第２ケース部３内に巻き取りながら、固定手段５により第１ケース部２と第２ケース３とを固定する。即ち、第１ケース部２及び第２ケース部３の配されたそれぞれの凸部５６を凹部５５に圧入させて、対向面２ａ、３ａ同士を当接させる。
上述したように、互いに凸部５６を凹部５５に圧入することで、両ケース部２、３を固定したり、凹部５５から凸部５６を引き抜くことで両ケース部２、３を分割することができる。このように、複雑な構成を備えることなく、凹部５５及び凸部５６により容易に固定手段５を構成することができ、構造のシンプル化及び製造コストの低減化を図ることができる。
【００６２】
上述したように、本実施形態の携帯用電子機器１によれば、第１のスピーカ９及び第２のスピーカ１０を使用しない場合には、第１ケース部２と第２ケース部３とを固定することで、例えば、腕時計のように煩わしさを感じることなく腕に装着でき、従来のヘッドセットのようにバック等に入れて持ち運ぶ必要がない。また、第１のスピーカ９及び第２のスピーカ１０を使用する場合には、第１ケース部２と第２ケース部３とを分割して両耳に装着することで、ヘッドセットとして使用することができる。
【００６３】
次に、本発明に係る携帯用電子機器の第２実施形態について、図１５及び図１６を参照して説明する。なお、第２実施形態において第１実施形態と同一の構成については、同一の符号を付しその説明を省略する。
第２実施形態と第１実施形態との異なる点は、第１実施形態では、固定手段５が第１ケース部２及び第２ケース部３の対向面２ａ、３ａに配された凹部５５、凸部５６により構成されていたのに対し、第２実施形態の携帯用電子機器７０は、凹部５５、凸部５６及び係止機構７１により固定手段７２を構成している点である。
即ち、本実施形態の携帯用電子機器７０は、図１５及び図１６に示すように、第１ケース部２の第１バンド部６ａ及び第２ケース部３の第２バンド部７ｂの基端側取付部分において外側に向けて突出したピン７３が設けられている。また、第１ケース部２の第２バンド部６ｂ及び第２ケース部３の第１バンド部７ａは、基端側が上記ピン７３に係止可能な鉤状に形成された係止部７４となっている。
【００６４】
このように構成された携帯用電子機器７０においては、第１ケース部２と第２ケース部３とを固定する際、第２バンド部６ｂ及び第１バンド部７ａを、バンド変形手段８により予め第１バンド部６ａ及び第２バンド部７ｂに干渉しない位置に回転させた後、凸部５６を凹部５５に圧入して両ケース部２、３を固定する。そして、第２バンド部６ｂ及び第１バンド部７ａを、第１バンド部６ａ及び第２バンド部７ｂを接触するように回転させると共に、係止部７４をピン７３に嵌めて互いを係止する。このように、凹部５５と凸部５６とによる固定に加え、係止機構７１によりさらなる固定ができるので、両ケース部２、３をより強固に固定することができる。従って、電子腕時計として使用する際に、ガタ等を低減することができる。
【００６５】
次に、本発明に係る携帯用電子機器の第３実施形態について、図１７から図１９を参照して説明する。なお、第３実施形態において第１実施形態と同一の構成については、同一の符号を付しその説明を省略する。
第３実施形態と第１実施形態との異なる点は、第１実施形態では、固定手段５が第１ケース部２及び第２ケース部３の対向面２ａ、３ａに配された凹部５５、凸部５６により構成されていたのに対し、第３実施形態の携帯用電子機器８０は、固定手段８１が、第１ケース部２及び第２ケース部３の対向面２ａ、３ａに、ガイド溝８２と該ガイド溝８２にスライドして挿入可能な凸条部８３とをそれぞれ有しており、凸条部８３をガイド溝８２に挿入したときに、第１ケース部２と第２ケース３とを離間する方向に規制するように構成されている点である。
【００６６】
即ち、本実施形態の携帯用電子機器８０は、図１７から図１９に示すように、第２ケース部３の対向面３ａの長手方向に向けて上記ガイド溝８２が形成されている。この際、ガイド溝８２は、第２バンド７の第２バンド部７ｂに亘って形成されている。また、ガイド溝８２は、図１９に示すように、切り欠き幅が、対向面３ａの表面側（Ｈ１）より内部側（Ｈ２）の方が大きくなるように形成されている。（Ｈ１＜Ｈ２）
また、第１ケース部２の対向面２ａには、上記凸条部８３が形成されており、ガイド溝８２と同様に、第２バンド６の第２バンド部６ｂに亘って形成されている。
【００６７】
このように構成された携帯用電子機器８０においては、第１ケース部２と第２ケース部３とを固定する際、凸条部８３をガイド溝８２にスライドさせて挿入することで、両ケース部２、３の固定が行える。この際、ガイド溝８２の切り欠き幅が、対向面３ａの表面側より内部側の方が大きいので、両ケース部２、３が離間することはない。また、凸条部８３をガイド溝８２から引き抜くことで、両ケース部２、３の固定を解いて分割することができる。このように、ガイド溝８２及び凸条部８３により容易に固定手段８１を構成することができ、構造のシンプル化及び製造コストの低減化を図ることができる。
【００６８】
なお、上記固定手段８１に加え、図２０に示すように、凸条部８３をガイド溝８２に挿入した後に、両ケース２、３を互いに固定させるピンと該ピンに係止可能な回転ヒンジとからなる係止機構８５を両ケース２、３の裏面に付加しても構わない。こうすることで、より強固に両ケース部２、３を固定することができる。
また、係止機構８５に限られず、図２１に示すように、スライド部を移動させることで、両ケース部２、３を固定することができるロック機構８６を設けても構わない。
【００６９】
次に、本発明に係る携帯用電子機器の第４実施形態について、図２２から図２４を参照して説明する。なお、第４実施形態において第１実施形態と同一の構成については、同一の符号を付しその説明を省略する。
第４実施形態と第１実施形態との異なる点は、第１実施形態では、固定手段５が第１ケース部２及び第２ケース部３の対向面２ａ、３ａに配された凹部５５、凸部５６により構成されていたのに対し、第４実施形態の携帯用電子機器９０は、固定手段９１が、第１ケース部２及び第２ケース部３の対向面２ａ、３ａに、バイヨネット結合可能な第１結合部（第１の結合手段）９２と第２結合部（第２の結合手段）９３とをそれぞれ備えている点である。
【００７０】
即ち、本実施形態の携帯用電子機器９０は、図２２から図２４に示すように、第１ケース部２の対向面２ａの略中心に、突起状の上記第１結合部９２が形成されている。また、第２ケース部３の対向面３ａには、第１結合部９２に対向する位置に、第１結合部９２を内部に収納する上記第２結合部９３が形成されている。この第２結合部９３は、第１結合部９２を内部に収納した状態で、第１結合部９２を対向面２ａ、３ａに直交する軸線回りに９０度回転させたときに、第１結合部９２が内部で引っ掛かかり、離間しないようになっている。
更に、本実施形態の携帯用電子機器９０は、第１ケース部２の第１バンド部６ａ及び第２ケース部３の第２のバンド部７ｂの基端側取付部分において、外側に向けて突出したピン９４が設けられており、第１ケース部２の第２バンド部６ｂ及び第２ケース部３の第１バンド部７ａの基端側取付部分において、上記ピン９４に引っ掛けて係止可能なゴムやプラスチック等で形成された係止部９５が設けられている。
【００７１】
このように構成された携帯用電子機器９０においては、第１ケース部２と第２ケース部３とを固定する際、図２４に示すように、第２ケース部３に対して第１ケース部２を略９０度回転させた状態で、第１結合部９２を第２結合部９３内に挿入する。挿入後、第１ケース部２を９０度回転させることで、第１結合部９２を第２結合部９３内に引っ掛ける。これにより、第１ケース部２と第２ケース部３とをワンタッチで固定することができる。また、逆にワンタッチで分割することができる。従って、脱着の操作性を向上することができる。
更に、両ケース部２、３を固定した後に、係止部９５をピン９４に引っ掛けることで、より強固に両ケース部２、３を固定することができる。
【００７２】
次に、本発明に係る携帯用電子機器の第５実施形態について、図２５及び図２６を参照して説明する。なお、第５実施形態において第１実施形態と同一の構成については、同一の符号を付しその説明を省略する。
第５実施形態と第１実施形態との異なる点は、第１実施形態では、固定手段５が第１ケース部２及び第２ケース部３の対向面２ａ、３ａに配された凹部５５、凸部５６により構成されていたのに対し、第５実施形態の携帯用電子機器１００は、固定手段１０１が、第１ケース部２及び第２ケース部３の対向面２ａ、３ａに、それぞれ溝部１０２と、該溝部１０２に挿入可能な突出部１０３とを備えている点である。
即ち、本実施形態の携帯用電子機器１００は、図２５及び図２６に示すように、第１ケース部２の対向面２ａが、２段状に形成されており、各段に上記溝部１０２又は突出部１０３が形成されている。また、第２ケース部３の対向面３ａも第１ケース部２と同様に、２段状に形成されており、第１ケース部２の溝部１０２及び突出部１０３に対向する位置に、それぞれの挿入相手である溝部１０２及び突出部１０３が形成されている。この突出部１０３には、図示しない係止孔が形成されている。また、溝部１０２内には、突出部１０３が挿入されたときに、該突出部１０３の係止孔内に挿入されて溝部１０２の内壁との間で突出部１０３を係止する板バネ１０２ａが配されている。
【００７３】
このように構成された携帯用電子機器１００においては、第１ケース部２と第２ケース部３とを固定する際、両ケース部２、３の突出部１０３を溝部１０２に挿入すると共に、板バネ１０２ａを係止孔に挿入させる。係止孔内に挿入された板バネ１０２ａは、溝部１０２の内壁との間で突出部１０３を固定するので、両ケース部２、３を固定することができる。また、板バネ１０２ａのスプリング力を調整するだけで、容易に両ケース部２、３
の固定を強固なものにすることができる。
【００７４】
次に、本発明に係る携帯用電子機器の第６実施形態について、図２７及び図２８を参照して説明する。なお、第６実施形態において第１実施形態と同一の構成については、同一の符号を付しその説明を省略する。
第６実施形態と第１実施形態との異なる点は、第１実施形態では、第１ケース部２及び第２ケース部３が、本体４の中心軸Ａに対して略半分に分割されていたのに対し、第６実施形態の携帯用電子機器１１０は、本体４が所定の厚さを有する略円板状とされ、第１ケース部２及び第２ケース部３が、本体４の厚さ方向の略中心で上下に分割されている点である。
【００７５】
即ち、本実施形態の携帯用電子機器１１０は、図２７及び図２８に示すように、第１ケース部２及び第２ケース部３が、共に同じ厚さで略円板状に形成され、第１ケース部２の裏面と第２ケース部３の表面とを重ね合わせた状態で固定できるようになっている。また、第１ケース部２の裏面及び第２ケース部３の表面には、それぞれ凹部１１１と、該凹部１１１に圧入して係合可能な凸部１１２とが設けられている。なお、凸部１１２は、ゴム等の弾性材料により形成され、耳の外耳道に挿入可能なイヤホンの機能も有している。これら凹部１１１及び凸部１１２は、固定手段１１３を構成している。
なお、本実施形態の携帯用電子機器１１０においては、第１ケース部２及び第２ケース部３に、第１バンド６及び第２バンド７が第１ケース部２と第２ケース部３とを固定したときに、互いに反対位置になるようにそれぞれ１つずつ設けられている。また、第１ケース部２の表面に、操作ボタン５０、巻取りボタン４１等が配されている。
【００７６】
このように構成された携帯用電子機器１１０においては、第１ケース部２と第２ケース部３とを両耳に装着する際、共に同じ円板状であるので、よりデザイン的に優れている。また、凸部１１２が、イヤホンと固定手段１１３の両機能を有しているので、機能性に優れている。また、第１ケース部２と第２ケース部３とを組み合わせて固定したときに、凸部１１２が凹部１１１内に埋没するので厚さを薄くすることができると共に、全体的な剛性が高まるので安定した状態で腕に装着することができる。
なお、図２９及び図３０に示すように、上記凹部１１１を貫通孔１１５としても構わない。こうすることで、第１ケース部２と第２ケース部３とを固定したときに、さらに全体的な厚さを薄くすることができる。
【００７７】
次に、本発明に係る携帯用電子機器の第７実施形態について、図３１から図３３を参照して説明する。なお、第７実施形態において第１実施形態と同一の構成については、同一の符号を付しその説明を省略する。
第７実施形態と第１実施形態との異なる点は、第１実施形態では、第１ケース部２と第２ケース部３とをコード１４により有線接続したが、第７実施形態の携帯用電子機器１２０は、第１ケース部２と第２ケース部３とを無線接続する点である。
即ち、本実施形態の携帯用電子機器１２０は、図３１から図３３に示すように、第１ケース部２及び第2ケース部３のそれぞれに、少なくとも音声情報を送信及び受信する機能を有する第１の無線通信手段（無線通信手段）１２１、第２の無線通信手段（無線通信手段）１２２を備えている。
両無線通信手段１２１、１２２は、それぞれ無線通信部１２１ａ、１２２ａと基板１８に配されたプリントアンテナ部１２１ｂ、１２２ｂとから構成されている。
【００７８】
なお、本実施形態においては、第２ケース部３に、第１ケース部２に内蔵されている演算処理部２５、ＲＯＭ２６、ＲＡＭ２７、入力制御部２９を少なくとも有する制御部１２４が設けられている。また、制御部１２４には、音声変換部３０を介して第２のスピーカ１０が接続されており、これら制御部１２４、音声変換部３０、第２のスピーカ１０は音声出力手段１２５を構成している。この音声出力手段１２５は、上記第２の無線通信手段１２２を介して受信した音声情報を第２のスピーカ１０から出力するようになっている。更に、第２ケース部３には、第１ケース部２と同様に、充電池２３及び充電用コネクタ３８が設けられおり、第２ケース部３内の各構成品に電力を供給するようになっている。
【００７９】
このように構成された携帯用電子機器１２０により音楽を聞く場合には、操作ボタン５０を押下すると、その信号は第１の無線通信手段１２１及び第２の無線通信手段１２２を介して第１ケース部２の音声出力手段１１に送られる、そして、その信号に基づいてメモリ２２に記録されている音声情報が第１のスピーカ９より出力される。また、同時にこの音声情報は、第１の無線通信手段１２１及び第２の無線通信手段１２２を介して第２ケース部３の音声出力手段１２５に送られて第２のスピーカ１０から出力される。
このように、両ケース部２、３間で音声情報を無線通信して音声を聞くことができる。特に、両ケース部２、３間を接続するコード等の配線が不要であるので、両耳に装着したときに、煩わしさを感じることがなく、配線への引っ掛かり等をなくすことができる。
【００８０】
なお、本発明の技術範囲は上記実施の形態に限定されるものではなく、本発明の趣旨を逸脱しない範囲において種々の変更を加えることが可能である。
【００８１】
例えば、上記各実施形態においては、携帯用電子機器をヘッドセットの機能を有する電子腕時計として説明したが、腕時計に限られるものではなく、腕に装着可能な電子機器であれば構わない。
また、巻取りボタンの位置、各ボタンの個数や位置等は、任意に設定しても良く、また表示部の位置等も同様に任意に設定して構わない。また、各ボタンの設定（制御部の制御方法）も自由に設定することが可能である。
特に、上記各実施形態では、モード切替ボタンを押下したときに、音楽再生モードに変更するように設定したが、例えば、第１のバンド及び第２のバンドを耳介に引っ掛けるように変形させたときに、バンド変形手段が音声出力手段を音声出力可能な状態にするように設定しても構わない。こうすることで、ヘッドセットとして使用するために、両バンドを変形させるだけで、音楽再生モードに変更可能であるので、その他のボタン等による個別操作を行う必要がない。従って、すぐにヘッドセットとして機能させることができ、機能性の向上を図ることができる。
また、耳介に装着するときに、バンド変形手段によりバンドの基端側の角度を変更してバンドの取付状態を変更したが、これに限られず、バンドの取付状態又はバンド自体の形状の変形を行って、耳介に装着できれば構わない。例えば、バンドの基端側近傍で、バンド自体が変形して角度が変更するような構成にしても構わない。
【００８２】
更に、上記各実施形態において、外部接続手段は、ＵＳＢケーブルを介して他の電子機器から音楽等の音声情報を入手したが、ＵＳＢケーブルに限らず、通信用ケーブルであれば構わない。また、例えば、外部接続手段が、メモリカードを接続可能なカード接続手段を有するように構成しても構わない。こうすることで、メモリカードを介して音声情報の入手や記録が行える。また、外部接続手段が、他の電子機器との間で無線通信可能な外部無線通信手段を有するように構成しても構わない。こうすることで、例えば、Ｂｌｕｅｔｏｏｔｈ等の無線通信により音声情報の入手や記録が行える。更には、本体ケースに音声放送波を受信可能な電波受信部を備えても良い。こうすることで、ＡＭラジオやＦＭラジオ等の音声放送波も聞くことが可能である。
【００８３】
更に、上記各実施形態では、第１ケース部と第２ケース部とを本体の表面の中心軸に対して略半分に分割したり、上下方向に分割可能に構成したが、これに限らず、第１ケース部と第２ケース部とを固定手段により、着脱自在に固定できるように構成すれば構わない。この際、固定手段は、上記各実施形態の例に限らず、着脱可能であれば自由に構成して構わない。
【図面の簡単な説明】
【００８４】
【図１】本発明に係る携帯用電子機器の第１実施形態を示す上面図である。
【図２】図１に示す携帯用電子機器の外観図を示す側面図である。
【図３】図１に示す携帯用電子機器の外観図を示す斜視図である。
【図４】図１に示す携帯用電子機器の第１ケース部を示す上方から見た斜視図である。
【図５】図１に示す携帯用電子機器の第１ケース部を示す下方から見た斜視図である。
【図６】図１に示す携帯用電子機器の第１ケース部と第２ケース部とを分割した状態を示す斜視図である。
【図７】図１に示す携帯用電子機器の構成図である。
【図８】図１に示す携帯用電子機器の断面矢視Ａ−Ａ図である。
【図９】図８に示す携帯用電子機器の断面矢視Ｂ−Ｂ図である。
【図１０】巻取り手段の構成を示す斜視図である。
【図１１】バンド変形手段の構成を示す断面図である。
【図１２】図１１に示すバンド変形手段の構成を示す斜視図である。
【図１３】図１に示す携帯用電子機器を耳介に装着した状態を示す側面図である。
【図１４】図１３に示す状態を上方から見た状態を示した図である。
【図１５】本発明に係る携帯用電子機器の第２実施形態を示す側面図である。
【図１６】図１５に示す携帯用電子機器の第１ケース部と第２ケース部とを分割した状態を示す斜視図である。
【図１７】本発明に係る携帯用電子機器の第３実施形態を示す側面図である。
【図１８】図１７に示す携帯用電子機器の第１ケース部と第２ケース部とを分割した状態を示す斜視図である。
【図１９】図１８に示す携帯用電子機器の固定手段を示す側方断面図であって、凸条部をガイド溝に挿入した状態を示す図である。
【図２０】図１７に示す携帯用電子機器に係止機構を付加した状態を示す下面図である。
【図２１】図１７に示す携帯用電子機器にロック機構を付加した状態を示す下面図である。
【図２２】本発明に係る携帯用電子機器の第４実施形態を示す斜視図である。
【図２３】図２２に示す携帯用電子機器の第１ケース部と第２ケース部とを分割した状態を示す斜視図である。
【図２４】図２２に示す第１ケース部と第２ケース部とを固定させる最初の段階を示す斜視図である。
【図２５】本発明に係る携帯用電子機器の第５実施形態を示す斜視図である。
【図２６】図２５に示す携帯用電子機器の第１ケース部と第２ケース部とを分割した状態を示す上面図である。
【図２７】本発明に係る携帯用電子機器の第６実施形態を示す斜視図である。
【図２８】図２７に示す携帯用電子機器の第１ケース部と第２ケース部とを分割した状態を示す斜視図である。
【図２９】本発明に係る携帯用電子機器の第６実施形態の他の例を示す斜視図である。
【図３０】図２９に示す携帯用電子機器の第１ケース部と第２ケース部とを分割した状態を示す斜視図である。
【図３１】本発明に係る携帯用電子機器の第７実施形態を示す図であって、第１ケース部及び第２ケース部の断面図である。
【図３２】図３１に示す第１ケース部及び第２ケース部の基板に配されたプリントアンテナ部を示す斜視図である。
【図３３】図３１に示す携帯用電子機器の構成図である。
【符号の説明】
【００８５】
１、７０、８０、９０、１００、１１０、１２０    携帯用電子機器
２    第１ケース部（第１の筐体）
３    第２ケース部（第２の筐体）
４    本体
５、７２、８１、９１、１０１、１１３    固定手段
６    第１のバンド
７    第２のバンド
８    バンド変形手段
９    第１のスピーカ
１０    第２のスピーカ
１１    音声出力手段
１４    コード
１６    表示部
２１    外部接続手段（ケーブル接続手段）
２２    メモリ
２３    充電池
３５    パッド部材
３８    充電用コネクタ（充電手段）
４０    巻取り手段
５０    操作ボタン（スイッチ）
５１    音量調整ボタン（スイッチ）
５２    モード切替ボタン（スイッチ）
５５、１１１    凹部
５６、１１２    凸部
６０    挿入孔
６１    付勢手段
６２    基端側の端面
６２ａ、６３ａ    歯部（凹凸部）
６３    接触面
６４    固定部材
８２    ガイド溝
８３    凸条部
９２    第１結合部（第１の結合手段）
９３    第２結合部（第２の結合手段）
１１５    貫通孔（凹部）
１２１    第１の無線通信手段（無線通信手段）
１２２    第２の無線通信手段（無線通信手段）
【図１】
2005191767.tif 000003
【図２】
2005191767.tif 000004
【図３】
2005191767.tif 000005
【図４】
2005191767.tif 000006
【図５】
2005191767.tif 000007
【図６】
2005191767.tif 000008
【図７】
2005191767.tif 000009
【図８】
2005191767.tif 000010
【図９】
2005191767.tif 000011
【図１０】
2005191767.tif 000012
【図１１】
2005191767.tif 000013
【図１２】
2005191767.tif 000014
【図１３】
2005191767.tif 000015
【図１４】
2005191767.tif 000016
【図１５】
2005191767.tif 000017
【図１６】
2005191767.tif 000018
【図１７】
2005191767.tif 000019
【図１８】
2005191767.tif 000020
【図１９】
2005191767.tif 000021
【図２０】
2005191767.tif 000022
【図２１】
2005191767.tif 000023
【図２２】
2005191767.tif 000024
【図２３】
2005191767.tif 000025
【図２４】
2005191767.tif 000026
【図２５】
2005191767.tif 000027
【図２６】
2005191767.tif 000028
【図２７】
2005191767.tif 000029
【図２８】
2005191767.tif 000030
【図２９】
2005191767.tif 000031
【図３０】
2005191767.tif 000032
【図３１】
2005191767.tif 000033
【図３２】
2005191767.tif 000034
【図３３】
2005191767.tif 000035